(57)【要約】【課題】建物の、窓の外側、窓の内側、建物の内側に開く扉の外側、建物の外側に開く扉の内側若しくは外壁をくり抜いた部分に、前記建物の外側に搬入扉とＩＣカード照合装置、前記建物の内側に排出扉と錠前を取り付けた宅配ボックスにあって宅配物の温度管理と安全面を強化し、一般家庭に普及することを目的とする。【解決手段】搬入扉を開けさせる情報が記録された差し込み型ＩＣカードを差し込むと固定され、宅配物の収納が完了し搬入扉を閉めると、搬入扉を開けさせる情報が消去されて固定が解除されＩＣカードが取り出せるＩＣカード照合装置と、温度帯ごとに色分けされた宅配物を、同色ごとに分別できる色分けされた収納庫を有することを特徴とした宅配ボックスとそれを用いた宅配サービスを提供する。設置場所は建物の、既存の窓に取り付ければ、設置費用は安価にできるので、一般に普及しやすいのである。【選択図】図１
2019098135.tif 000002
【特許請求の範囲】
【請求項１】
建物の、窓の外側、窓の内側、建物の内側に開く扉の外側、建物の外側に開く扉の内側若しくは外壁をくり抜いた部分に、温度帯の異なる複数の収納庫を持つ宅配ボックスを設置するにあたり、その宅配ボックスの搬入面側に、収納庫ごとの搬入扉とその搬入扉の開閉装置とを設置し、排出面側に排出扉を設置した宅配ボックス。
【請求項２】
建物の、窓の外側、窓の内側、建物の内側に開く扉の外側、建物の外側に開く扉の内側若しくは外壁をくり抜いた部分に、温度帯の異なる複数の収納庫を持つ宅配ボックスを設置するにあたり、
その宅配ボックスの搬入面側に、収納庫ごとの搬入扉とその搬入扉の開閉装置と、この搬入扉の開閉装置を開閉動作されるための情報が記録されたＩＣカードが差し込まれるＩＣカード照合装置と、排出面側に排出扉を設置した宅配ボックスにあって、
前記ＩＣカード照合装置は、搬入面側と異なる面に設置し、前記搬入扉を開けさせる情報が記録されたＩＣカードが差し込まれるとＩＣカードを固定し、搬入扉が開けられ宅配物の収納が完了し前記搬入扉を閉めると、前記搬入扉を開けさせる情報を消去させ、排出面側に設置した排出扉の開閉装置に宅配物が収納されたことを知らせる合図を送ると、ＩＣカードの固定を解除し、ＩＣカード照合装置からＩＣカードが取り出せる宅配ボックス。
【請求項３】
建物の、窓の外側、窓の内側、建物の内側に開く扉の外側、建物の外側に開く扉の内側若しくは外壁をくり抜いた部分に、温度帯の異なる複数の収納庫を持つ宅配ボックスを設置するにあたり、
その宅配ボックスの排出面側に、収納庫ごとの排出扉を設ける若しくは収納庫全体を開けられる排出扉１枚を設置した宅配ボックスにあって、
搬入扉が閉められたときに、ＩＣカード照合装置より、前記排出扉を開けさせるライト付き開閉装置に、宅配物が収納されたことを知らせる合図が送られ、ライトがつき排出扉は開けられる、宅配物を取り出し、排出扉を閉めてライト付き開閉装置のライトを消すと排出扉はロックされる宅配ボックス。
【請求項４】
建物の、窓の外側、窓の内側、建物の内側に開く扉の外側、建物の外側に開く扉の内側または外壁をくり抜いた部分に宅配ボックスを設置し、宅配ボックスの搬入面側に、温度帯が異なる収納庫ごとの搬入扉と搬入扉を開けさせる開閉装置を設置し、排出面側に排出扉と排出扉を開けさせる開閉装置を設置し、搬入面側・排出面側と異なる面に設置したＩＣカード照合装置を取り付けた宅配ボックスを用いた宅配サービス方法にあって、
ＩＣカード記録装置により、搬入扉の開閉装置を開閉動作されるための情報が記録された差し込み型ＩＣカードを、ＩＣカード照合装置に差し込むと、前記ＩＣカードがＩＣカード照合装置に固定されると、搬入扉の開閉装置を開閉動作され搬入扉が開き、温度帯の異なる宅配物を温度帯別に色分けされた宅配専用の籠または箱に入れて、温度帯を示す色分けされた同色の収納庫に収納する方法、または差し込み型ＩＣカードに宅配物の温度帯を入力し、宅配物の温度帯と同じ温度帯の収納庫だけを開けさせる情報で搬入扉を開け宅配物を収納すると、収納が完了し前記搬入扉を閉めると、開けさせる情報が消去されて前記ＩＣカード照合装置から前記ＩＣカードが取り出せることを特徴とした宅配ボックスを用いた宅配サービス方法。
【請求項５】
コンピューターに、物品販売業者が商品購入者を会員登録するステップと、
商品購入者がコンピューターにインターネットで会員登録しておくステップと、
会員が商品を購入し宅配を希望した時に、コンピューターに会員の購入した商品の情報が保存されるステップと、
保存された情報をコンピューターからＩＣカード記録装置に購入した商品と会員の情報が入力されるステップと、
ＩＣカード記録装置に入力された情報を差し込み型ＩＣカードに入力されるステップと、
情報を入力した差し込み型ＩＣカードをＩＣカード照合装置に差し込むステップと、
差し込み型ＩＣカードはＩＣ照合装置に固定されるステップと、
固定が完了し情報が照合されると、搬入扉を開けさせる開閉装置が動作し搬入扉が開き、宅配物を収納するステップと、
宅配物の収納が完了し、搬入扉を閉めると、ＩＣカードが取り出せるステップと、
ＩＣカード照合装置から取り出すときに、ＩＣカードに搬入扉が開いた時刻と閉めた時刻を入力するステップと、
搬入扉を閉めた時に、排出扉を開けさせる開閉装置に宅配物が収納されたことを知らせる合図が送られるステップと、
ライトがつき排出扉は開けられるステップと、
宅配物を取り出し排出扉を閉めて開閉装置のライトを消すと排出扉はロックされるステップと、
搬入扉を開けさせる情報を、使用したＩＣカードから消去し同じカードでは開閉できないようにしたことを、特徴とした安全対策を強化した請求項４を用いた宅配サービス方法。
【発明の詳細な説明】
【技術分野】
【０００１】  この発明は、宅配ボックス及びそれを用いた宅配サービス方法に関し、特に、温度帯の異なる収納庫を持ち複数の開閉扉を持つＩＣカード照合装置付き宅配ボックス及びそれを用いた宅配サービス方法に関するものである。
【背景技術】
【０００２】  従来、物品販売業者から商品を購入して宅配を依頼した際は、購入者が配達時間や日を指定して受取人が配達員から購入商品を受け取る方法であった。
今までは、受取人が宅配希望の場所にいて受け取らなくてはならず、交通状況で宅配希望時間内に間に合わない場合や受取人が急用で受け取り希望場所を離れなければならない場合もあったりして、購入商品の受け取りが出来ない場合もあったりして、配達員は別の時間に再配達しなければならず時間と労力の無駄で改善が必要であった。
また、配達員を装ったなりすましで事件や事故もあり安全対策が必要であった。
最近では、マンションや戸建て住宅に宅配ボックスを設置して宅配ボックスに収納してもらう購入者も増えてきているが、悪意のある人からの悪戯や盗難などの被害もあったりして安全対策が必要であった。
宅配ボックスに暗証番号方式の施開錠する鍵を使用した場合、暗証番号を忘れたりして高齢者などには使用が難しかったので使用方法が簡単な方法の開発が必要であった。【０００３】  特許文献１の宅配サービス方法には、配達員が温度帯を確認して、貯蔵室を選択して収納する方法とマスターキーを作成し配達員にマスターキーで全ての宅配ボックスの鍵を開けて収納するということが提案されている。
また、特許文献２には、冷蔵庫の貯蔵室が宅配物の収納状況や宅配物に適した温度になるように冷却手段を制御するものであり、使用者のスケジュールを制御装置に登録して温度管理を行なうことが提案されている。
【先行技術文献】
【特許文献】
【０００４】
【特許文献１】特開２００３−１００３４公報
【特許文献２】特開２０１６−１３０６０９公報
【発明の概要】
【発明が解決しようとする課題】
【０００５】  先行文献２に記載されている冷蔵庫では、貯蔵室が宅配物の収納状況や宅配物の適した温度になるように冷却手段を制御するものであり、使用者のスケジュールを制御装置に登録して温度管理を行なうものであり、高度の技術が必要であり設置には家屋のリホームが必要で設置費用が高額になる可能性もあり、一般家庭では導入が難しいのではという課題があった。
先行文献１に記載されている宅配サービス方法では、配達員が温度帯を確認して、貯蔵室を選択して収納する為、間違えて入庫してしまったり、宅配ボックスの鍵装置を取り付け配達員に各使用者の宅配ボックスを施開錠可能なマスターキーで施開錠する方法だが、マスターキーをコピーされたら全ての宅配ボックスが開錠され悪戯や盗難の可能性があり危険という課題があった。【０００６】  本発明は、以上のような課題を解決し、ＩＣカード照合装置付き宅配ボックスにおける宅配物の温度管理と安全性を強化し、一般家庭に普及することを目的とする。
【課題を解決する為の手段】
【０００７】  本発明は、上記の課題を解決するために、下記のＩＣカード照合装置付き宅配ボックスとそれを用いた宅配サービスを提供するものである。
（１）建物の、窓の外側、窓の内側、建物の内側に開く扉の外側、建物の外側に開く扉の内側若しくは外壁をくり抜いた部分に、温度帯の異なる複数の収納庫を持つ宅配ボックスを設置するにあたり、その宅配ボックスの搬入面側に、収納庫ごとの搬入扉とその搬入扉の開閉装置とを設置し、排出面側に排出扉を設置した宅配ボックス。
（２）建物の、窓の外側、窓の内側、建物の内側に開く扉の外側、建物の外側に開く扉の内側若しくは外壁をくり抜いた部分に、温度帯の異なる複数の収納庫を持つ宅配ボックスを設置するにあたり、
その宅配ボックスの搬入面側に、収納庫ごとの搬入扉とその搬入扉の開閉装置と、この搬入扉の開閉装置を開閉動作されるための情報が記録されたＩＣカードが差し込まれるＩＣカード照合装置と、排出面側に排出扉を設置した宅配ボックスにあって、
前記ＩＣカード照合装置は、搬入面側と異なる面に設置し、前記搬入扉を開けさせる情報が記録されたＩＣカードが差し込まれるとＩＣカードを固定し、搬入扉が開けられ宅配物の収納が完了し前記搬入扉を閉めると、前記搬入扉を開けさせる情報を消去させ、排出面側に設置した排出扉の開閉装置に宅配物が収納されたことを知らせる合図を送ると、ＩＣカードの固定を解除し、ＩＣカード照合装置からＩＣカードが取り出せる宅配ボックス。
（３）建物の、窓の外側、窓の内側、建物の内側に開く扉の外側、建物の外側に開く扉の内側若しくは外壁をくり抜いた部分に、温度帯の異なる複数の収納庫を持つ宅配ボックスを設置するにあたり、
その宅配ボックスの排出面側に、収納庫ごとの排出扉を設ける若しくは収納庫全体を開けられる排出扉１枚を設置した宅配ボックスにあって、
搬入扉が閉められたときに、ＩＣカード照合装置より、前記排出扉を開けさせるライト付き開閉装置に、宅配物が収納されたことを知らせる合図が送られ、ライトがつき排出扉は開けられる、宅配物を取り出し、排出扉を閉めてライト付き開閉装置のライトを消すと排出扉はロックされる宅配ボックス。
（４）建物の、窓の外側、窓の内側、建物の内側に開く扉の外側、建物の外側に開く扉の内側または外壁をくり抜いた部分に宅配ボックスを設置し、宅配ボックスの搬入面側に、温度帯が異なる収納庫ごとの搬入扉と搬入扉を開けさせる開閉装置を設置し、排出面側に排出扉と排出扉を開けさせる開閉装置を設置し、搬入面側・排出面側と異なる面に設置したＩＣカード照合装置を取り付けた宅配ボックスを用いた宅配サービス方法にあって、
ＩＣカード記録装置により、搬入扉の開閉装置を開閉動作されるための情報が記録された差し込み型ＩＣカードを、ＩＣカード照合装置に差し込むと、前記ＩＣカードがＩＣカード照合装置に固定されると、搬入扉の開閉装置を開閉動作され搬入扉が開き、温度帯の異なる宅配物を温度帯別に色分けされた宅配専用の籠または箱に入れて、温度帯を示す色分けされた同色の収納庫に収納する方法、または差し込み型ＩＣカードに宅配物の温度帯を入力し、宅配物の温度帯と同じ温度帯の収納庫だけを開けさせる情報で搬入扉を開け宅配物を収納すると、収納が完了し前記搬入扉を閉めると、開けさせる情報が消去されて前記ＩＣカード照合装置から前記ＩＣカードが取り出せることを特徴とした宅配ボックスを用いた宅配サービス方法。
（５）コンピューターに、物品販売業者が商品購入者を会員登録するステップと、
商品購入者がコンピューターにインターネットで会員登録しておくステップと、
会員が商品を購入し宅配を希望した時に、コンピューターに会員の購入した商品の情報が保存されるステップと、
保存された情報をコンピューターからＩＣカード記録装置に購入した商品と会員の情報が入力されるステップと、
ＩＣカード記録装置に入力された情報を差し込み型ＩＣカードに入力されるステップと、
情報を入力した差し込み型ＩＣカードをＩＣカード照合装置に差し込むステップと、
差し込み型ＩＣカードはＩＣ照合装置に固定されるステップと、
固定が完了し情報が照合されると、搬入扉を開けさせる開閉装置が動作し搬入扉が開き、宅配物を収納するステップと、
宅配物の収納が完了し、搬入扉を閉めると、ＩＣカードが取り出せるステップと、
ＩＣカード照合装置から取り出すときに、ＩＣカードに搬入扉が開いた時刻と閉めた時刻を入力するステップと、
搬入扉を閉めた時に、排出扉を開けさせる開閉装置に宅配物が収納されたことを知らせる合図が送られるステップと、
ライトがつき排出扉は開けられるステップと、
宅配物を取り出し排出扉を閉めて開閉装置のライトを消すと排出扉はロックされるステップと、
搬入扉を開けさせる情報を、使用したＩＣカードから消去し同じカードでは開閉できないようにしたことを、特徴とした安全対策を強化した請求項４を用いた宅配サービス方法。
【発明の効果】
【０００８】  ＩＣカード照合装置を利用することにより、宅配ボックスにおける宅配物の温度管理と安全性を強化し、一般家庭に普及することができる。
【図面の簡単な説明】
【０００９】
【図１】本発明の宅配ボックスの概略斜視図を示している。
【図２】本発明のＩＣカード照合装置の概略拡大斜視図を示している。
【図３】本発明の宅配ボックスを建物の窓の外側に設置した上から見た図を示している。
【図４】本発明の宅配ボックスを建物の窓の内側に設置した上から見た図を示している。
【図５】本発明の宅配ボックスを建物の外壁をくり抜いた部分に設置した上から見た図を示している。
【発明を実施するための形態】
【００１０】  本発明の宅配ボックスは、温度帯の異なる複数の収納庫で構成されたもので、収納庫の室温は常温、冷蔵、冷凍状態を保てるのである。
【００１１】  本発明の宅配ボックスの収納庫は、収納庫の搬入面側に搬入扉と搬入面・排出面と異なる面にＩＣカード照合装置を設け  温度帯の異なる宅配物を温度帯別に色分けし判別したり、差し込み型ＩＣカードに温度帯の情報を入力させると、温度帯を判別して収納することができるのである。
【００１２】  ＩＣカード記録装置は、コンピューターに入力された会員の情報を、インターネットを利用して、ＩＣカード記録装置に会員の情報を入力するステップと、
ＩＣカード記録装置に入力された会員が商品を購入し宅配を希望した時に、差し込み型ＩＣカードに会員と購入商品の情報を入力するステップと、
宅配完了後、使用したＩＣカードは入力した情報をＩＣカード記録装置に情報を戻し白紙状態にする機能を有するのである。
ＩＣカード記録装置に保存した配達記録はコンピューターに移し保存すると、
ＩＣカード記録装置に入力された情報は消去される、と購入者の個人情報が守られ安全である宅配サービス方法。
【００１３】  ＩＣカード記録装置で、差し込み型ＩＣカードに入力する会員情報は、
イ、住所
ロ、氏名
ハ、電話番号
ニ、宅配希望場所の敷地内の宅配ボックスの位置の表示
ホ、ＩＣカード照合装置に差し込み、開閉装置で搬入扉を開けさせる情報
ヘ、宅配物の温度帯（冷凍・冷蔵・常温）と数量
【００１４】  本発明の、宅配ボックスと宅配サービスを受ける会員の情報は、コンピューターに登録され宅配ボックスの搬入扉を開かさせる情報は、会員と物品販売業者知ることが出来る情報である。
お中元やお歳暮その他の進物品は、宅配依頼人が会員であるか、宅配依頼時に会員登録した場合のみ、受取人の住所・氏名・電話番号で、受取人の宅配ボックスの搬入扉を開けさせる情報を、差し込み型ＩＣカードに入力させることができるのである。
【００１５】  本発明のＩＣカード照合装置は、宅配ボックスの収納庫の搬入扉の外側表面に取り付け、差し込み型ＩＣカードが差し込まれるとＩＣカードはＩＣカード照合装置に取り付けられた冶具に固定され、保存された情報を照合することで、温度帯の異なる収納庫の開閉装置が開閉動作し搬入扉が開けられ、宅配物の収納が完了し搬入扉が閉められると、ＩＣカードを抜き取ることができ、搬入扉を開けさせる情報は消去されるのである。
【００１６】本発明の収納庫の排出扉は、建物に設置した宅配ボックスの排出面側に設け、搬入扉を閉めた時に、排出扉を開けさせる開閉装置に、宅配物が収納されたことを知らせる合図が送られるとライトがつき、排出扉は開けられるのである。
宅配物を取り出し排出扉を閉めて、開閉装置のライトを消すと、排出扉はロックされると安全対策は強化されるのである。
また、搬入扉が閉められた時に、ＩＣカード照合装置からＩＣカードを抜き取ると排出扉が開けられる状態することもできるが、収納庫に間違って入ってしまう幼児などいない場所に宅配ボックスを設置した場合は、ライト付き開閉装置がない分費用は安くなるのである
【００１７】  本発明の宅配ボックスの設置場所は、
（１）建物の窓の外側または（２）建物の内側に開く扉の外側に設置の場合は、（１）はスライドできる２枚以上の窓の外側の１枚分の前面に、内側から窓がスライドできるように窓から２ｃｍ〜３ｃｍ開けて設置（２）は建物の内側に開く扉から２〜３ｃｍ開けて宅配ボックスを設置する。
（３）建物の窓の内側または（４）建物の外側に開く扉の内側に設置の場合は、（３）はスライドできる２枚以上の窓の内側の１枚分の前面に、外側から窓がスライドできるように窓から２ｃｍ〜３ｃｍ開けて設置（４）は建物の外側に開く扉から２ｃｍ〜３ｃｍ開けて宅配ボックスを設置する。
（５）建物の外壁をくり抜いた部分に設置の場合は、くり抜いた部分の外壁の外側から２ｃｍ〜３ｃｍ内側に宅配ボックスの搬入扉の外側面が位置するように設置する。
【００１８】  本発明の宅配ボックスを用いた宅配サービスはたとえば以下のようなものを提供する。
（１）宅配ボックスには、温度帯の異なる収納庫と複数の収納庫に開閉ドアを設け、収納庫は冷凍温度・冷蔵温度・常温に設定し、温度帯別に搬入扉に色を付けて色分けし、宅配物を運搬するために使用する籠または箱にも温度帯別に搬入扉と同じ色分けすることもできる。
収納庫は常に一定温度で稼動している状態を、特徴としたＩＣカード照合装置付き宅配ボックスを設置。
（２）上記（１）の宅配ボックスにおいて、設置場所は建物の、窓の外側、窓の内側、建物の内側に開く扉の外側、建物の外側に開く扉の内側若しくは外壁をくり抜いた部分に、ＩＣカード照合装置付き宅配ボックスを設置する。
（３）上記（１）の宅配ボックスにおいて、搬入面・排出面と異なる面にＩＣカード照合装置を設け、搬入面側に搬入扉と搬入扉を開けさせる開閉装置を設け、排出面側に排出扉と排出扉を開けさせるライト付き開閉装置を設けていることを特徴としたＩＣカード照合装置付き宅配ボックスを設置する。
（４）（３）のＩＣカードにおいて、搬入扉を開けさせる開閉装置の情報はＩＣカード記録装置で差し込み型ＩＣカードに入力し、ＩＣカード照合装置に差し込み型ＩＣカードを差し込むと情報を照合し、開閉装置が開閉動作し搬入扉を開け、宅配物を収納し完了したら閉めると、排出扉を開けさせる開閉装置に、宅配物が収納されたことを知らせる合図が送られるとライトがつき、排出扉は開けられるのである。
宅配物を取り出し排出扉を閉めて、開閉装置のライトを消すと、排出扉はロックされる、ＩＣカード照合装置からＩＣカードを抜き取ると搬入扉を開けさせる情報は消去される
（５）宅配ボックスの搬入面側の搬入扉を開けた時において、開いた枠に防犯カメラを設け、配達員の名札の名前と顔と時刻を記録録画させることもできる。
【００１９】  本発明に係るＩＣカード照合装置付き宅配ボックスは、宅配を希望した宅配ボックス使用者が配達希望場所にいなくとも宅配物が安全で確実に届き、配達員は１度の配達で完了するため、最短の配送ルートを作り最短時間で配達できる。
２４時間配達が出来るので１台の配達車両で３人の配達員が３交代で配達車両を使用でき効率良く配達が出来る。
宅配ボックス使用者は配達員を待つことが無いので、時間の拘束がなく、配達員と接触が無いので、配達員を装ったなりすましの事件、事故は皆無となり、扉は開けられないので悪戯、盗難の被害は無くなり、安全な生活ができる。
【００２０】  以下、本発明の実施の形態を図面に基づいて説明する。
【００２１】図１は、本発明の宅配ボックスの例を示している。
ＩＣカード照合装置４に差し込み型ＩＣカード１２を差し込み収納庫９の搬入扉２を開けている図を示している。
搬入扉２には扉の開閉装置１３が設置され開けている図を示している。
搬出扉３は図では１枚だけだが収納庫と同じ枚数を設置することもできる。
防犯カメラ１０で配達員の氏名、顔を撮影し搬入扉を開けた時刻を記録する。
図２の（ａ）は、ＩＣカード照合装置４を拡大した図である。
ＩＣカードを固定するための冶具１１にＩＣカード１２を差し込むと固定され開閉装置１３で搬入扉２を開けさせる情報を照合し、搬入扉２を開けさせることができる。
図２の（ｂ）は、ＩＣカード１２をＩＣカード照合装置４から抜き取った図で、冶具１１が開いている図を示している。
【００２２】図３は、建物のスライドして開閉する窓７の１面の外側に設置した宅配ボックス１を上から見た図を示している。
図３の（ａ）は、宅配物の配達員がＩＣカード照合装置４に差し込み型ＩＣカード４を差し込み固定され、搬入扉２を開けた図を示している。
建物のスライドして開閉する窓７は閉められている図を示している。
また、建物の内側に開く扉の外側に宅配ボックス１を設置した場合も同様である。
図３の（ｂ）は、建物の排出面に設置されたライト付き開閉装置５を開け、排出扉３を開けている図を示している。
建物のスライドして開閉する窓７は、宅配ボックス１が設置してある窓７が開けられている図を示している。
【００２３】図４は、建物のスライドしている窓７の１面の内側に設置した宅配ボックス１を上から見た図を示している。
図４の（ａ）は、宅配物の配達員が建物のスライドして開けられる窓７をスライドさせ開け、ＩＣカード照合装置４に差し込み型ＩＣカード１２を差し込み固定され、搬入扉２を開けた図を示している。
また、建物の外側に開く扉の内側に宅配ボックス１を設置した場合も同様である。
図４の（ｂ）は、建物の排出面に設置された排出扉３を開けている図を示している。
建物のスライドして開閉する窓７は、閉められている図を示している。
【００２４】図５は、建物の外壁８をくり抜いた部分に、宅配ボックス１を設置した上から見た図を示している。
図５の（ａ）は、宅配物の配達員が外壁をくり抜いた部分に設置した宅配ボックスの、符号４のＩＣカード照合装置に符号１２の差し込み型ＩＣカードを差し込み固定され、符号２の搬入扉を開けた図を示している。
図５の（ｂ）は、建物の排出面に設置された排出扉３を開けている図を示している。
【００２５】  図１の宅配ボックスにおいて、図２のＩＣカード照合装置４を設けることにより、安全対策が強化される。
ＩＣカード照合装置４は、差し込み型ＩＣカード１２に搬入扉を開けさせる開閉装置１３に搬入扉２を開けさせる情報が入力されていないと搬入扉２は開けられない。
差し込み型ＩＣカード１２に情報が入力されており、搬入扉２が開けられて宅配物の収納が完了し、搬入扉２を閉めると、搬入扉２を開けさせる情報は消去されるので、同じＩＣカード１２では開けることができないので、ＩＣカード１２の紛失または盗難にあっても安全である。
また、搬入扉２が開けられた時に、防犯カメラ１０で配達員の名札の名前や顔を動画または写真で映し記録保存しておくと、配達員は宅配物を丁寧に扱い破損などの不手際の確率が低くなる。
図３から図４の宅配ボックス１の設置において、図３と図４の宅配ボックスは建物の窓７の外側または内側に設置するので、既存の窓７の場合は、リホームの必要は無く設置作業が安易であるために、設置費用も高額になる可能性が低く、普及しやすい宅配ボックス１である。
窓７があるため安全対策は強化される。
図５の宅配ボックス１において、外壁をくり抜いた部分に設置するので、工事費用が掛かるが、窓の外側、内側に設置が不都合な場合に行なうのが良い方法である。
【００２５】  先行文献１に記載されている宅配サービス方法では、配達員が温度帯を確認して貯蔵室を選択して収納する為、間違えて入庫して商品が劣化したことがあったが、解決方法としては、
ＩＣカード照合装置付き宅配ボックス１の、収納庫９の搬入扉２に温度帯別に色を付けるステップと、
宅配物を入れる宅配専用の籠または箱に、温度帯を示す色を搬入扉２に付けた色と同色の色を付けるステップと、
収納庫９が２室の場合は収納庫別に搬入扉２が１枚ずつ設置されているので、温度帯別に色分けするステップと、
１室の冷凍品用収納庫の温度帯は−１５度前後に設定するステップと、
搬入扉２と宅配専用の籠または箱に赤色（仮）で印をつけるステップと、
１室の冷蔵品用収納庫の温度帯は３度前後に設定にするステップと、
搬入扉２と宅配専用の籠または箱に青色（仮）で印をつけるステップと、
色を確認して収納庫９に収納できるので、配達員が間違わない安全対策を強化した宅配サービス方法。
または、色盲の配達員がいないという可能性は無いので、差し込み型ＩＣカード１２に宅配物の温度帯を入力し、宅配物と温度帯が同じ収納庫９の搬入扉２だけを開けさせる方法もできるのである。
【００２６】  先行文献１に記載されている宅配サービス方法では、宅配ボックスに鍵装置を取り付け配達業者に鍵を預け、マスターキーを作り配達員がマスターキーで各使用者の宅配ボックスを施開錠し収納する方法だが、マスターキーをコピーされたら各使用者の宅配ボックスが開錠され悪戯や盗難の可能性があり安全面は危険なので解決策としては、
温度帯の異なる収納庫９と複数の開閉扉を持つ宅配ボックスの搬入面・排出面の異なる面にＩＣカード照合装置４を取り付けるステップと、
形状・材質は様々だがＩＣカード記録装置で情報入力された差し込み型ＩＣカード１２をＩＣカード照合装置４に差し込むと、差し込み型ＩＣカード１２が冶具１１で固定されるステップと、
開閉装置１３で搬入扉２を開けさせる開閉動作を読み取り、搬入扉２が開けられる状態になり宅配物を収納するステップと、
搬入扉２を閉めたら差し込み型ＩＣカード１２が取り出せるステップと、
差し込み型ＩＣカード１２にはＩＣカード照合装置４から抜き出す時に開錠時刻と施錠時刻をＩＣカード照合装置４が差し込み型ＩＣカード１２に入力するステップと、
搬入扉２を開けさせる情報を消去するステップと、
搬入扉２が閉められたときに、ＩＣカード照合装置４より、排出扉３を開けさせるライト付き開閉装置５に、宅配物が収納されたことを知らせる合図が送られ、ライトがつき排出扉３は開けられる、宅配物を取り出し、排出扉３を閉めてライト付き開閉装置５のライトを消すと排出扉３はロックされる宅配ボックス。
使用済みのＩＣカードでは開錠ができないので安全対策を強化した宅配サービス方法。
【００２７】  建物の、内側に設置した宅配ボックスの搬出扉３は、幼い子供が誤って入ることが無いように子供の手が届かない場所に、搬出扉３を開けるためのライト付き開閉装置５を取り付ける。
ＩＣ照合装置４で搬入扉２が閉められた時に、収納庫９に宅配物が収納されたことをライト付き開閉装置ＩＣカード照合装置４より、排出扉３を開けさせるライト付き開閉装置５に、宅配物が収納されたことを知らせる合図が送られ、ライトがつき排出扉３は開けられる、宅配物を取り出し、排出扉３を閉めてライト付き開閉装置５のライトを消すと排出扉３はロックされる。
幼い子供が誤って入るのを防止し、外側の搬入扉が開いて、万が一、宅配ボックスに悪意のある人が宅配ボックスに侵入し、建物内に侵入しようと試みても不可能なので安全である。
【符号の説明】
【００２８】１・・宅配ボックス、２・・搬入扉、３・・搬出扉、４・・ＩＣカード照合装置、
５・・ライト付き開閉装置、６・・建物内側、７・・窓、８・・建物外壁
９・・収納庫、１０・・防犯カメラ、１１・・ＩＣカード固定冶具、１２・・ＩＣカード１３・・開閉装置
【図１】
2019098135.tif 000003
【図２】
2019098135.tif 000004
【図３】
2019098135.tif 000005
【図４】
2019098135.tif 000006
【図５】
2019098135.tif 000007